(57)【特許請求の範囲】
【請求項１】
装置本体から上方に水平状態まで回動して装置外部に露出されると共に下方に回動して装置内部に収納され、水平状態とされた際の上面に嵌合溝を有する一方、下面近傍に突出片を有する運搬用レバーと、水平状態とされた前記運搬用レバーの上面に向けて上下方向に移動可能なロック手段と、前記運搬用レバーを収納すると共に水平状態とされた前記運搬用レバーの前記突出片を保持する保持部を有する収納部と、を具備し、前記運搬用レバーを上方に水平状態まで回動させて装置本体から引き出し、前記突出片を前記保持部に保持させた状態で前記ロック手段が下方移動し前記嵌合溝に嵌合することにより前記運搬用レバーの下方への回動を規制すると共に、前記ロック手段を上方移動させ前記嵌合溝との嵌合を解除して前記運搬用レバーを下方に回動自在にすることを特徴とする複写機。
【請求項２】
前記運搬用レバーは前記収納部に収納される際、長辺が縦状態となるよう収納されることを特徴とする請求項１に記載の複写機。
【請求項３】
前記運搬用レバーの嵌合溝に嵌合した前記ロック手段を上方移動させ、前記運搬用レバーを装置本体側に押し込んで前記突出片を前記保持部から外し、前記運搬用レバーを自重により下方に回動させることを特徴とする請求項１に記載の複写機。
【請求項４】
水平状態とされた前記運搬用レバーの先端は当該運搬用レバーの下面よりも下方側に突出した形状の樹脂製カバーで覆われていることを特徴とする請求項１に記載の複写機。
【請求項５】
前記ロック手段は前記収納部の外壁面に沿って移動することを特徴とする請求項１に記載の複写機。
【請求項６】
前記ロック手段は前記収納部の外壁面に沿って移動し、前記嵌合溝は前記収納部の外壁面に沿って前記ロック手段が下方移動する位置に設けられていることを特徴とする請求項１に記載の複写機。
【請求項７】
前記ロック手段は前記収納部の外壁面に沿って移動し、前記運搬用レバーが前記収納部内に収納されている場合の前記ロック手段の下方移動は、前記ロック手段の表面に設けられた開口部を介して前記収納部の外壁面に固定されたねじで規制されることを特徴とする請求項１に記載の複写機。
【請求項８】
前記収納部は水平状態とされた運搬用レバーの前記嵌合溝近傍の上面と前記収納部内に配置された当該運搬用レバーの先端部近傍の下面とで当該運搬用レバーに加わる力を受け止めることを特徴とする請求項１に記載の複写機。
【請求項９】
前記収納部は装置内部のメインフレームとは別に設けられていることを特徴とする請求項１に記載の複写機。
【請求項１０】
装置本体から上方に水平状態まで回動して装置外部に露出されると共に下方に回動して装置内部に収納され、水平状態とされた際の上面に嵌合溝を有する一方、下面近傍に突出片を有する運搬用レバーと、水平状態とされた前記運搬用レバーの上面に向けて上下方向に移動可能なロック手段と、前記運搬用レバーを収納すると共に水平状態とされた前記運搬用レバーの前記突出片を保持する保持部を有する収納部と、を具備し、前記運搬用レバーを上方に水平状態まで回動させて装置本体から引き出し、前記突出片を前記保持部に保持させた状態で前記ロック手段が下方移動し前記嵌合溝に嵌合することにより前記運搬用レバーの下方への回動を規制すると共に、前記ロック手段を上方移動させ前記嵌合溝との嵌合を解除して前記運搬用レバーを下方に回動自在にすることを特徴とする複合機。
【請求項１１】
前記運搬用レバーは前記収納部に収納される際、長辺が縦状態となるよう収納されることを特徴とする請求項１０に記載の複合機。
【請求項１２】
前記運搬用レバーの嵌合溝に嵌合した前記ロック手段を上方移動させ、前記運搬用レバーを装置本体側に押し込んで前記突出片を前記保持部から外し、前記運搬用レバーを自重により下方に回動させることを特徴とする請求項１０に記載の複合機。
【請求項１３】
水平状態とされた前記運搬用レバーの先端は当該運搬用レバーの下面よりも下方側に突出した形状の樹脂製カバーで覆われていることを特徴とする請求項１０に記載の複合機。
【請求項１４】
前記ロック手段は前記収納部の外壁面に沿って移動することを特徴とする請求項１０に記載の複合機。
【請求項１５】
前記ロック手段は前記収納部の外壁面に沿って移動し、前記嵌合溝は前記収納部の外壁面に沿って前記ロック手段が下方移動する位置に設けられていることを特徴とする請求項１０に記載の複合機。
【請求項１６】
前記ロック手段は前記収納部の外壁面に沿って移動し、前記運搬用レバーが前記収納部内に収納されている場合の前記ロック手段の下方移動は、前記ロック手段の表面に設けられた開口部を介して前記収納部の外壁面に固定されたねじで規制されることを特徴とする請求項１０に記載の複合機。
【請求項１７】
前記収納部は水平状態とされた運搬用レバーの前記嵌合溝近傍の上面と前記収納部内に配置された当該運搬用レバーの先端部近傍の下面とで当該運搬用レバーに加わる力を受け止めることを特徴とする請求項１０に記載の複合機。
【請求項１８】
前記収納部は装置内部のメインフレームとは別に設けられていることを特徴とする請求項１０に記載の複合機。
【発明の詳細な説明】
【０００１】
【発明の属する技術分野】
本発明は、運搬する際に運搬者が持ちやすいように運搬用レバーを有する複写機及び複合機に関する。
【０００２】
【従来の技術】
従来、この種の複写機又は複合機は、重量が約１００ｋｇと重い機器であるため、階段を登りながら運搬するのは困難であった。一方、複写機を納品する事務所が常にエレベータを備えているとは限らないため、運搬者が手で複写機を持って階段を運搬する必要性が存在する。
【０００３】
そのため、この種の機器には、装置本体に運搬用レバーを取り付けたものがある。このような運搬用レバーは、複写機の水平方向に引き出し可能に設けられている。
【０００４】
図１６は、従来の複写機１６００の外観を示す斜視図である。図１６（ａ）、（ｂ）に示すように、運搬用レバー１６０１は、非運搬時には装置内部に収納される一方、運搬時には装置外部に引き出して使用される。
【０００５】
複写機１６００を階上に運搬する場合、この運搬用レバー１６０１は装置の左右の側面にそれぞれ２本づつ突き出るので、２人以上の運搬者が装置の左右にそれぞれ位置し、両腕で運搬用レバー１６０１を握り、装置全体を持ち上げて階段を登る、という作業を行っていた。
【０００６】
なお、このような運搬用レバー１６０１は、通常、図１７に示すように、複写機１６００のメインフレーム１７００に固定されている。これにより、運搬用レバー１６０１を持ち上げる力を直接メインフレーム１７００に加えて複写機１６００を運搬していた。
【０００７】
また、運搬途中で運搬用レバー１６０１が装置内部に戻ると危険であるため、運搬用レバー１６０１にはロック機構が設けられていた。このロック機構の働きにより運搬用レバー１６０１は装置外部に突き出た状態に維持される。運搬作業が終了すると、このロック機構を解除して、運搬用レバー１６０１を装置内部に収納していた。
【０００８】
【発明が解決しようとする課題】
しかしながら、かかる従来の技術では、以下のような問題が生じていた。
【０００９】
即ち、運搬用レバー１６０１を横方向にスライドさせて、装置内部に収納したり装置外部に出したりする構成であると、複写機１６００には正面の開閉カバーや給紙カセット段が存在するため、その邪魔にならない位置に設けなければならない。そのため、運搬用レバー１６０１の取付位置が大幅に制約されるという問題があった。
【００１０】
また、かかる制約下で運搬に適した位置に運搬用レバー１６０１を配置するとなると、運搬用レバー１６０１の太さを細く構成しなければならなかった。この場合、複写機１６００の重量は重いので、運搬用レバー１６０１を握る手に運搬用レバー１６０１が食い込み、非常に運搬作業をしにくいものになっていたという問題があった。逆に、前述の制約下で運搬に適した位置に太い運搬用レバーを設けた場合には、複写機１６００全体を大型化しなければならないという問題が生ずる。
【００１１】
さらに、従来の技術では、運搬用レバー１６０１を持ち上げる際の力がメインフレーム１７００に直接加わるので、メインフレーム１７００を変形させ、一定の位置精度により維持されている記録部などを構成する各部材の相互関係を崩し、画質を低下させるなどの不都合の発生するという問題があった。
【００１２】
さらに、ロック機構の解除機構が、複写機１６００の運搬中に運搬用レバー１６０１を握っている手と同じ手で解除できるものであると、運搬中に手が誤って解除機構に接触し、ロック機構が解除されるという事態が生ずる。そのため、ロック機構の解除機構は、運搬用レバー１６０１に近傍にありつつも、運搬中に手が誤って接触しても解除されない機構であることが要請される。
【００１３】
本発明は、かかる問題点に鑑みて為されたものであり、装置全体を大型化することなく、運搬に適した位置に持ちやすい運搬用レバーを有し、また、運搬中に運搬用レバーのロックが誤動作により解除される事態を確実に防止することができる複写機又は複合機を提供することを目的とする。
【００１４】
【課題を解決するための手段】
本発明は、運搬用レバーを上方に水平状態まで回動させて装置本体から引き出し、突出片を保持部に保持させた状態でロック手段が下方移動し嵌合溝に嵌合することにより運搬用レバーの下方への回動を規制すると共に、ロック手段を上方移動させ嵌合溝との嵌合を解除して運搬用レバーを下方に回動自在にする。
【００１５】
これにより、装置全体を大型化することなく、運搬に適した位置に持ちやすい運搬用レバーを有し、また、運搬中に運搬用レバーのロックが誤動作により解除される事態を確実に防止することができる。
【００１６】
【発明の実施の形態】
本発明の第１の態様に係る複写機は、装置本体から上方に水平状態まで回動して装置外部に露出されると共に下方に回動して装置内部に収納され、水平状態とされた際の上面に嵌合溝を有する一方、下面近傍に突出片を有する運搬用レバーと、水平状態とされた前記運搬用レバーの上面に向けて上下方向に移動可能なロック手段と、前記運搬用レバーを収納すると共に水平状態とされた前記運搬用レバーの前記突出片を保持する保持部を有する収納部と、を具備し、前記運搬用レバーを上方に水平状態まで回動させて装置本体から引き出し、前記突出片を前記保持部に保持させた状態で前記ロック手段が下方移動し前記嵌合溝に嵌合することにより前記運搬用レバーの下方への回動を規制すると共に、前記ロック手段を上方移動させ前記嵌合溝との嵌合を解除して前記運搬用レバーを下方に回動自在にする構成を採る。
【００１７】
この構成によれば、運搬用レバーを水平状態まで回動し、突出片が保持部に保持される位置まで装置本体から引き出し、運搬用レバーの下方への回動を不能な状態とし、この状態でロック手段を下方移動させて回動を禁止（ロック）する。これにより、単に運搬用レバーを回動させて水平状態にしただけではロックはかからず、ロックがかかるまでに２段階の操作を必要とするので、ロックのかけ忘れを未然に確実に防止し、安全な運搬を保証することができる。また、運搬用レバーを水平状態とし、装置本体を運搬可能状態とした場合にはロック手段を上方に上げなければ、運搬用レバーは下方には回動しない。これにより、ロック手段を解除するにはロック手段を上方に上げるという運搬用レバーを握ったままではできない別の操作をしなければならず、運搬用レバーを握っている手と同じ手ではロック手段を解除できない。したがって、装置の運搬中にロック手段に誤って指が接触してロック手段が解除されることはなく、運搬中に運搬用レバーが回動して運搬のバランスを崩すという危険を確実に回避することができる。
【００１８】
本発明の第２の態様に係る複写機は、前記第１の態様において、前記運搬用レバーは前記収納部に収納される際、長辺が縦状態となるよう収納される構成を採る。
【００１９】
この構成によれば、運搬用レバーを装置内部に収納する場合には長辺が縦状態となるように収納される。これにより、例えば、給紙カセット段は複数段重なるため空きスペースは縦方向であれば同一個所に生じるが、この空きスペースを有効に利用することができる。このため、この空きスペースの領域が許す限り、最大限運搬用レバーを太くでき、持ちやすい運搬用レバーを実現できる。
【００２０】
また、空きスペースを利用するので、収納部のために特別に領域を確保する必要がなく、装置が大型化するのを防止することができる。
【００２３】
本発明の第３の態様に係る複写機は、前記第１の態様において、前記運搬用レバーの嵌合溝に嵌合した前記ロック手段を上方移動させ、前記運搬用レバーを装置本体側に押し込んで前記突出片を前記保持部から外し、前記運搬用レバーを自重により下方に回動させる構成を採る。
【００２４】
この構成によれば、運搬用レバーを収納する場合、ロック手段を解除するだけではなく、さらに運搬用レバーを押し込むことで運搬用レバーを回動可能とする。これにより、運搬用レバーが下方に回動するまでに２段階の操作を必要とするので、ロック手段の解除により直ちに運搬用レバーが回動する場合に比べて、万が一ロックが誤って解除された場合でも、急には運搬用レバーは回動せず、安全性を確実に確保できる。
【００２５】
本発明の第４の態様に係る複写機は、前記第１の態様において、水平状態とされた前記運搬用レバーの先端は当該運搬用レバーの下面よりも下方側に突出した形状の樹脂製カバーで覆われている構成を採る。
【００２６】
この構成によれば、運搬用レバーの先端を下面よりも下方側に突出した形状の樹脂製カバーで覆うことにより、運搬用レバー自体を板金で形成した場合であっても運搬用レバーの先端を下方側に突出した形状とすることができる。このため、運搬用レバーを掴んだ手が樹脂製カバーにひっかかって、運搬用レバーから手が抜けるのを防止することができる。
【００２７】
また、運搬用レバーの先端を樹脂製カバーで覆うことにより、運搬用レバーを下方に回動させて収納する際に装置本体の内壁に当たった場合の衝撃を樹脂製カバー自身の弾力で吸収することができる。これにより、運搬用レバーの先端が装置本体の内壁に当たる際に生ずる衝撃音を、板金と板金とが当たる際の衝撃音に比べて小さくすることができる。
【００２８】
本発明の第５の態様に係る複写機は、前記第１の態様において、前記ロック手段は前記収納部の外壁面に沿って移動する構成を採る。
【００２９】
この構成によれば、ロック手段を収納部の外壁面に沿って移動させることにより、ロック手段が上下方向に移動する際の案内ガイドとして収納部の外壁面をそのまま利用することができる。このため、案内ガイドとして別部材を設ける必要がなく、その分部品点数の削減を図ることができる。
【００３０】
本発明の第６の態様に係る複写機は、前記第１の態様において、前記ロック手段は前記収納部の外壁面に沿って移動し、前記嵌合溝は前記収納部の外壁面に沿って前記ロック手段が下方移動する位置に設けられている構成を採る。
【００３１】
この構成によれば、ロック手段は、収納部の外壁面近傍で運搬用レバーの回動を規制することができる。このため、ロック手段の嵌合位置から先端までの長さを最大限長くでき、運搬用レバーの持ち領域を最大限長くすることができるので、持ち易い運搬用レバーを実現して、安定した装置本体の運搬を確保することができる。
【００３２】
本発明の第７の態様に係る複写機は、前記第１の態様において、前記ロック手段は前記収納部の外壁面に沿って移動し、前記運搬用レバーが前記収納部内に収納されている場合の前記ロック手段の下方移動は、前記ロック手段の表面に設けられた開口部を介して前記収納部の外壁面に固定されたねじで規制される構成を採る。
【００３３】
運搬用レバーが装置内部に収納されている場合、ロック手段は上下に移動可能に設けられているので、落下防止のための機構がなければ落下する。本発明の第８の態様では、ロック手段の落下防止のための手段としてねじを用いることにより、特別な機構を設ける必要がないので、簡易な構成且つ低コストでロック手段の落下を防止することができる。
【００３４】
本発明の第８の態様に係る複写機は、前記第１の態様において、前記収納部は水平状態とされた運搬用レバーの前記嵌合溝近傍の上面と前記収納部内に配置された当該運搬用レバーの先端部近傍の下面とで当該運搬用レバーに加わる力を受け止める構成を採る。
【００３５】
この構成によれば、収納部は、水平状態とされた運搬用レバーの嵌合溝近傍の上面と収納部内に配置された運搬用レバーの先端部近傍の下面とで運搬用レバーに加わる力を受け止める。これにより、収納部は運搬用レバーを握って装置本体を持ち上げる際に発生する、上方に向う力のみならず、下方に向う力をも受け止める。このため、収納部は装置本体を持ち上げる際に発生する力を上下の２方向に分散して受けることができる。したがって、装置本体を持ち上げる際に一方向のみ力を受け止める場合に比較して、収納部に加わる負荷を軽減することができる。
【００３６】
本発明の第９の態様に係る複写機は、前記第１の態様において、前記収納部は装置内部のメインフレームとは別に設けられている構成を採る。
【００３７】
この構成によれば、運搬用レバーの収納部を装置内部のメインフレームとは別に設けている。このため、運搬用レバーで装置本体を持ち上げる際に発生する力は直接には収納フレームに加わることになって、メインフレームに直接加わることはない。したがって、運搬用レバーで装置本体を持ち上げる際の力がメインフレームに直接加わってメインフレームを変形させ、一定の位置精度により維持されている記録部などを構成する各部材の相互関係を崩し、画質を低下させるなどの不都合の発生を確実に防止することができる。
【００３８】
本発明の第１０の態様に係る複合機は、装置本体から上方に水平状態まで回動して装置外部に露出されると共に下方に回動して装置内部に収納され、水平状態とされた際の上面に嵌合溝を有する一方、下面近傍に突出片を有する運搬用レバーと、水平状態とされた前記運搬用レバーの上面に向けて上下方向に移動可能なロック手段と、前記運搬用レバーを収納すると共に水平状態とされた前記運搬用レバーの前記突出片を保持する保持部を有する収納部と、を具備し、前記運搬用レバーを上方に水平状態まで回動させて装置本体から引き出し、前記突出片を前記保持部に保持させた状態で前記ロック手段が下方移動し前記嵌合溝に嵌合することにより前記運搬用レバーの下方への回動を規制すると共に、前記ロック手段を上方移動させ前記嵌合溝との嵌合を解除して前記運搬用レバーを下方に回動自在にする構成を採る。
【００３９】
この構成によれば、運搬用レバーを水平状態まで回動し、突出片が保持部に保持される位置まで装置本体から引き出し、運搬用レバーの下方への回動を不能な状態とし、この状態でロック手段を下方移動させて回動を禁止（ロック）する。これにより、単に運搬用レバーを回動させて水平状態にしただけではロックはかからず、ロックがかかるまでに２段階の操作を必要とするので、ロックのかけ忘れを未然に確実に防止し、安全な運搬を保証することができる。また、運搬用レバーを水平状態とし、装置本体を運搬可能状態とした場合にはロック手段を上方に上げなければ、運搬用レバーは下方には回動しない。これにより、ロック手段を解除するにはロック手段を上方に上げるという運搬用レバーを握ったままではできない別の操作をしなければならず、運搬用レバーを握っている手と同じ手ではロック手段を解除できない。したがって、装置の運搬中にロック手段に誤って指が接触してロック手段が解除されることはなく、運搬中に運搬用レバーが回動して運搬のバランスを崩すという危険を確実に回避することができる。
【００４０】
本発明の第１１の態様に係る複合機は、前記第１０の態様において、前記運搬用レバーは前記収納部に収納される際、長辺が縦状態となるよう収納される構成を採る。
【００４１】
この構成によれば、運搬用レバーを装置内部に収納する場合には長辺が縦状態となるように収納される。これにより、例えば、給紙カセット段は複数段重なるため空きスペースは縦方向であれば同一個所に生じるが、この空きスペースを有効に利用することができる。このため、この空きスペースの領域が許す限り、最大限運搬用レバーを太くでき、持ちやすい運搬用レバーを実現できる。
【００４２】
また、空きスペースを利用するので、収納部のために特別に領域を確保する必要がなく、装置が大型化するのを防止することができる。
【００４５】
本発明の第１２の態様に係る複合機は、前記第１０の態様において、前記運搬用レバーの嵌合溝に嵌合した前記ロック手段を上方移動させ、前記運搬用レバーを装置本体側に押し込んで前記突出片を前記保持部から外し、前記運搬用レバーを自重により下方に回動させる構成を採る。
【００４６】
この構成によれば、運搬用レバーを収納する場合、ロック手段を解除するだけではなく、さらに運搬用レバーを押し込むことで運搬用レバーを回動可能とする。これにより、運搬用レバーが下方に回動するまでに２段階の操作を必要とするので、ロック手段の解除により直ちに運搬用レバーが回動する場合に比べて、万が一ロックが誤って解除された場合でも、急には運搬用レバーは回動せず、安全性を確実に確保できる。
【００４７】
本発明の第１３の態様に係る複合機は、前記第１０の態様において、水平状態とされた前記運搬用レバーの先端は当該運搬用レバーの下面よりも下方側に突出した形状の樹脂製カバーで覆われている構成を採る。
【００４８】
この構成によれば、運搬用レバーの先端を下面よりも下方側に突出した形状の樹脂製カバーで覆うことにより、運搬用レバー自体を板金で形成した場合であっても運搬用レバーの先端を下方側に突出した形状とすることができる。このため、運搬用レバーを掴んだ手が樹脂製カバーにひっかかって、運搬用レバーから手が抜けるのを防止することができる。
【００４９】
また、運搬用レバーの先端を樹脂製カバーで覆うことにより、運搬用レバーを下方に回動させて収納する際に装置本体の内壁に当たった場合の衝撃を樹脂製カバー自身の弾力で吸収することができる。これにより、運搬用レバーの先端が装置本体の内壁に当たる際に生ずる衝撃音を、板金と板金とが当たる際の衝撃音に比べて小さくすることができる。
【００５０】
本発明の第１４の態様に係る複合機は、前記第１０の態様において、前記ロック手段は前記収納部の外壁面に沿って移動する構成を採る。
【００５１】
この構成によれば、ロック手段を収納部の外壁面に沿って移動させることにより、ロック手段が上下方向に移動する際の案内ガイドとして収納部の外壁面をそのまま利用することができる。このため、案内ガイドとして別部材を設ける必要がなく、その分部品点数の削減を図ることができる。
【００５２】
本発明の第１５の態様に係る複合機は、前記第１０の態様において、前記ロック手段は前記収納部の外壁面に沿って移動し、前記嵌合溝は前記収納部の外壁面に沿って前記ロック手段が下方移動する位置に設けられている構成を採る。
【００５３】
この構成によれば、ロック手段は、収納部の外壁面近傍で運搬用レバーの回動を規制することができる。このため、ロック手段の嵌合位置から先端までの長さを最大限長くでき、運搬用レバーの持ち領域を最大限長くすることができるので、持ち易い運搬用レバーを実現して、安定した装置本体の運搬を確保することができる。
【００５４】
本発明の第１６の態様に係る複合機は、前記第１０の態様において、前記ロック手段は前記収納部の外壁面に沿って移動し、前記運搬用レバーが前記収納部内に収納されている場合の前記ロック手段の下方移動は、前記ロック手段の表面に設けられた開口部を介して前記収納部の外壁面に固定されたねじで規制される構成を採る。
【００５５】
運搬用レバーが装置内部に収納されている場合、ロック手段は上下に移動可能に設けられているので、落下防止のための機構がなければ落下する。本発明の第１８の態様では、ロック手段の落下防止のための手段としてねじを用いることにより、特別な機構を設ける必要がないので、簡易な構成且つ低コストでロック手段の落下を防止することができる。
【００５６】
本発明の第１７の態様に係る複合機は、前記第１０の態様において、前記収納部は水平状態とされた運搬用レバーの前記嵌合溝近傍の上面と前記収納部内に配置された当該運搬用レバーの先端部近傍の下面とで当該運搬用レバーに加わる力を受け止める構成を採る。
【００５７】
この構成によれば、収納部は、水平状態とされた運搬用レバーの嵌合溝近傍の上面と収納部内に配置された運搬用レバーの先端部近傍の下面とで運搬用レバーに加わる力を受け止める。これにより、収納部は運搬用レバーを握って装置本体を持ち上げる際に発生する、上方に向う力のみならず、下方に向う力をも受け止める。このため、収納部は装置本体を持ち上げる際に発生する力を上下の２方向に分散して受けることができる。したがって、装置本体を持ち上げる際に一方向のみ力を受け止める場合に比較して、収納部に加わる負荷を軽減することができる。
【００５８】
本発明の第１８の態様に係る複合機は、前記第１０の態様において、前記収納部は装置内部のメインフレームとは別に設けられている構成を採る。
【００５９】
この構成によれば、運搬用レバーの収納部を装置内部のメインフレームとは別に設けている。このため、運搬用レバーで装置本体を持ち上げる際に発生する力は直接には収納フレームに加わることになって、メインフレームに直接加わることはない。したがって、運搬用レバーで装置本体を持ち上げる際の力がメインフレームに直接加わってメインフレームを変形させ、一定の位置精度により維持されている記録部などを構成する各部材の相互関係を崩し、画質を低下させるなどの不都合の発生を確実に防止することができる。
【００６０】
以下、本発明の実施の形態にかかる複写機について図面を参照して具体的に説明する。
【００６１】
図１は、本発明の一実施の形態に係る複写機１００の外観を示す斜視図である。図１（ａ）、（ｂ）に示すように、複写機１００は、装置の片方の側面に２つの開閉カバー１０１が設けられている。この開閉カバー１０１の内側に運搬用レバー１０２が配置されている。運搬者は、開閉カバー１０１を開くことで運搬用レバー１０２を露出することができる。
【００６２】
運搬用レバー１０２は、その上方領域で本複写機１００の後述する収納部に支持されている。この収納部に支持された箇所を回動支点としてその下端を上方に回動することで運搬用レバー１０２が装置外部に露出する。
【００６３】
図２は、運搬用レバー１０２周辺の構成を示す拡大図である。図２においては、運搬用レバー１０２が収納されている状態を示している。
【００６４】
開閉カバー１０１の内側には運搬用レバー１０２を収納する収納部２０１が設けられている。収納部２０１には、上下方向に収納溝２０２が形成されている。収納溝２０２は、運搬用レバー１０２の幅がちょうど収まる幅に形成されている。
【００６５】
収納溝２０２の下方領域には、運搬用レバー１０２が収納される。なお、運搬用レバー１０２の下端部の下方に一定のスペースが設けられている。運搬者は、このスペースに手を入れて運搬用レバー１０２を上方に回動させる。
【００６６】
収納溝２０２の上方領域には、運搬用レバー１０２を回動させ、水平状態となった運搬用レバー１０２と嵌合するロック手段としてのロック部材２０３が取り付けられている。ロック部材２０３の幅は、収納溝２０２の幅とほぼ同一に形成されている。
【００６７】
収納溝２０２の側方であって運搬用レバー１０２が水平状態となった場合の運搬用レバー１０２の下端部近傍に、後述する運搬用レバー１０２の突出片を保持する保持部２０４が設けられている。保持部２０４は、収納部２０１の表面からわずかに突出した形状を有する。
【００６８】
収納溝２０２の上方であって、ロック部材２０３の上端部と対向する位置に係止部２０５が設けられている。係止部２０５は、ロック部材２０３の上端部に係止されたばね２０６の上端を係止する。ロック部材２０３は、係止部２０５に係止されたばね２０６の付勢力により下方に付勢された状態となる。
【００６９】
ロック部材２０３に開口部２０７が形成されている。この開口部２０７の開口領域において、ねじ２０８が収納部２０１に取り付けられている。ねじ２０８は、ばね２０６により下方に付勢されるロック部材２０３の下方への移動を規制する。
【００７０】
運搬用レバー１０２が収納部２０１に収納されている場合、ロック部材２０３は上下に移動可能に設けられているので、落下防止のための機構がなければ落下してしまう。本複写機１００では、ロック部材２０３の落下防止のための手段としてねじ２０８を用いる。これにより、特別な機構を設ける必要がないので、簡易な構成且つ低コストでロック部材２０３の落下を防止することができる。
【００７１】
ロック部材２０３の側方にロック部材２０３の移動を規制する第１ガイド２０９、第２ガイド２１０が設けられている。第１ガイド２０９は、ロック部材２０３の側方からロック部材２０３の表面に回りこみ、開口部２０７の近傍まで覆う形状を有し、ロック部材２０３の左右方向及び前後方向の移動を規制する。
【００７２】
第２ガイド２１０は、ロック部材２０３の側方で収納部２０１の表面からわずかに突出した形状を有し、ロック部材２０３の左右方向の移動を規制する。ロック部材２０３は、収納部２０１の表面に沿って移動可能な構成となっているが、これらのねじ２０８、第１ガイド２０９及び第２ガイド２１０によりロック部材２０３の移動が一定領域に規制される。
【００７３】
ロック部材２０３の開口部２０７の下方には、レバー部２１１が形成されている。レバー部２１１は、ロック部材２０３の表面から突出した形状を有し、運搬者がロック部材２０３を上方に持ち上げる場合に用いられる。
【００７４】
ロック部材２０３の下端部には、後述する運搬用レバー１０２の嵌合溝に嵌合する嵌合片２１２が形成されている。嵌合片２１２は、ロック部材２０３の開口部２０７の開口幅と同一程度の幅に設けられている。
【００７５】
図３は、運搬用レバー１０２を回動させ、水平状態に固定した状態を示している。運搬用レバー１０２は、例えば、折り曲げ加工等により成型され、その内部が中空状態となっている。折り曲げ加工等の処理を施すことで、軽量ながらも剛性性能を高めている。
【００７６】
水平状態における運搬用レバー１０２の上面であって、ロック部材２０３の下方領域に配置される位置に嵌合溝３０１が形成されている。嵌合溝３０１は、ロック部材２０３の嵌合片２１２と同一程度の大きさに形成されている。
【００７７】
水平状態における運搬用レバー１０２の下端部近傍であって側方に突出片３０２が設けられている。突出片３０２は、運搬用レバー１０２が水平状態になった場合に、収納部２０１の保持部２０４に載る位置に設けられている。
【００７８】
水平状態における運搬用レバー１０２の先端部は、樹脂製カバー３０３で覆われている。樹脂製カバー３０３は、運搬用レバー１０２の下端部よりも下方に延びた形状を有する。樹脂製カバー３０３は、運搬用レバー１０２を掴んだ運搬者の手が先端部から抜けるのを防止する役割を果たす。また、水平状態から自重により回動して収納溝２０２に入り込む場合に収納部２０１の内壁と接触する際に生ずる衝撃音を小さくする役割を果たす。
【００７９】
このような構成を有する運搬用レバー１０２を収納部２０１から回動させ、水平状態に固定するまでの動きについて説明する。
【００８０】
運搬用レバー１０２は、まず、図２に示す状態から図４に示すように、樹脂製カバー３０３を持ち上げるようにして回動させられる。このとき、運搬用レバー１０２は、保持部２０４近傍の回動支点を基準に回動する。
【００８１】
水平状態になるまで回動すると、運搬用レバー１０２は、図５に示すように、運搬用レバー１０２全体を収納部２０１の外部に露出していない状態となる。この状態においては、運搬用レバー１０２の突出片３０２は、収納部２０１の内側に配置された状態である。
【００８２】
また、ロック部材２０３の下方に嵌合溝３０１が配置されておらず、ロック部材２０３の嵌合片２１２は、運搬用レバー１０２の上面によって押し上げられた状態である。
【００８３】
次に、運搬用レバー１０２は、図６に示すように、その全体を収納部２０１から露出するように水平方向に引き出される。このとき、運搬用レバー１０２は、突出片３０２を保持部２０４の上に載せた状態で水平方向に引き出される。
【００８４】
なお、この状態においても、ロック部材２０３の下方に嵌合溝３０１は配置されていないため、ロック部材２０３の嵌合片２１２は、図５と同様に、運搬用レバー１０２の上面によって押し上げられた状態である。
【００８５】
図６に示す状態からさらに水平方向に引き出されると、ロック部材２０３の下方に嵌合溝３０１が移動してくる。このとき、ロック部材２０３の嵌合片２１２が嵌合溝３０１に入り込み、図３に示した状態となる。
【００８６】
図７は、運搬用レバー１０２の嵌合溝３０１周辺の拡大図である。図７においては、ロック部材２０３の嵌合片２１２が運搬用レバー１０２の嵌合溝３０１に入り込んだ状態を示している。
【００８７】
嵌合片２１２が嵌合溝３０１に入り込んだ場合、図７に示すように、運搬用レバー１０２の突出片３０２は、保持部２０４に載った状態となっている。すなわち、突出片３０２が保持部２０４に載った状態で、嵌合片２１２が嵌合溝３０１に入り込むことで、運搬用レバー１０２は、水平状態に固定されることとなる。
【００８８】
図８は、運搬用レバー１０２が水平状態となった場合におけるロック部材２０３の動きを示す図である。図８（ａ）は、図５及び図６に対応し、嵌合片２１２が嵌合溝３０１に入り込む前の状態を示している。また、図８（ｂ）は、図３に対応し、嵌合片２１２が嵌合溝３０１に入り込んだ後の状態を示している。
【００８９】
図８（ａ）に示すように、嵌合片２１２が嵌合溝３０１に入り込む前には、ロック部材２０３は、運搬用レバー１０２の上面により押し上げられ、開口部２０７も上方に移動した状態となっている。このとき、ねじ２０８は、開口部２０７の略中央近傍に配置されている。
【００９０】
一方、嵌合片２１２が嵌合溝３０１に入り込んだ後には、自重又はばね２０６の付勢力によりロック部材２０３が下方に移動し、開口部２０７も下方に移動した状態となっている。このとき、ねじ２０８は、開口部２０７の上端に当接する位置に配置されている。
【００９１】
次に、このような運搬用レバー１０２の一連の動きを、本複写機１００の前面（又は後面）から見た場合について示す。図９〜図１４は、運搬用レバー１０２の動きを説明するための本複写機１００の断面図である。
【００９２】
なお、図９〜図１２においては、運搬用レバー１０２を収納部２０１から回動させて水平状態に固定する場合の動きについて示し、図１３及び図１４においては、運搬用レバー１０２を収納部２０１に収納する場合の動きについて示している。また、図９〜図１４においては、片方の側面に設けられた収納部２０１のみを示している。
【００９３】
まず、運搬用レバー１０２を収納部２０１から回動させて、水平状態に固定する場合の動きについて説明する。
【００９４】
図９に示すように、収納部２０１の表面から一定距離をあけて内壁９００が設けられている。収納部２０１の表面と内壁９００との間には、ちょうど運搬用レバー１０２の奥行きが収まるようになっている。
【００９５】
収納部２０１に収納されている状態において、運搬用レバー１０２は、図９に示すように、その長辺が縦状態となっている。なお、収納部２０１に収納されている状態においては、樹脂製カバー３０３の端部が収納部２０１の内壁９００に軽く当接した状態となっている。
【００９６】
このように運搬用レバー１０２を収納部２０１に収納する場合には長辺が縦状態となるように収納することにより、例えば、給紙カセット段は複数段重なるため空きスペースは縦方向であれば同一個所に生じるが、この空きスペースを有効に利用することができる。このため、この空きスペースの領域が許す限り、最大限運搬用レバー１０２を太くでき、持ちやすい運搬用レバー１０２を実現できる。また、空きスペースを利用するので、収納部２０１のために特別に領域を確保する必要がなく、装置が大型化するのを防止することができる。
【００９７】
運搬用レバー１０２における本複写機１００の前面及び後面（以下、「運搬用レバー１０２の側面」という）側であって上方領域には、開口部９０１が形成されている。開口部９０１は、収納部２０１に収納されている状態における運搬用レバー１０２の上下方向に長く、その端部に周面を有した形状となっている。
【００９８】
開口部９０１は、その内側において運搬用レバー１０２の回動支点を構成する回動軸９０２を支持している。収納部２０１に収納されている状態においては、開口部９０１の上端で回動軸９０２を支持した状態となっている。
【００９９】
収納部２０１の内壁９００は、一定位置に開口部９０３が形成されている。この開口部９０１は、回動する運搬用レバー１０２の回動軸９０２側の先端を受け入れるために形成されている。
【０１００】
開口部９０３の下方に配置された内壁９００には、第１支持部９０４が設けられている。第１支持部９０４は、運搬用レバー１０２側に向けてわずかに突出した形状を有する。
【０１０１】
一方、回動軸９０２を挟んで第１支持部９０４と対向する位置、言い換えると、ロック部材２０３が取り付けられた位置の収納部２０１の裏面部分に第２支持部９０５が設けられている。第２支持部９０５は、内壁９００側に向けてわずかに突出した形状を有する。
【０１０２】
これらの第１支持部９０４及び第２支持部９０５は、後述するように、水平状態となった運搬用レバー１０２を支持し、運搬用レバー１０２に加えられた力を収納部２０１に伝える役割を果たす。
【０１０３】
図１０は、図４に対応する運搬用レバー１０２の状態を示す図である。図９に示す状態から図１０に示すように、運搬用レバー１０２の下端が収納部２０１から引き出される。
【０１０４】
このとき、回動軸９０２は、図９と同様に開口部９０１の上端で支持された状態である。このため、運搬用レバー１０２は、開口部９０１の上端部近傍を回動支点として回動する。運搬用レバー１０２の回動軸９０２側の先端は、開口部９０３に進入し始める。
【０１０５】
図１１は、図５に対応する運搬用レバー１０２の状態を示す図である。すなわち、運搬用レバー１０２を水平状態まで回動させた状態を示している。運搬用レバー１０２を回動させる際、突出片３０３が保持部２０４に接触する場合がある。この場合には、開口部９０１内で回動軸９０２の位置を調整して運搬用レバー１０２を回動させることができる。
【０１０６】
運搬用レバー１０２を水平状態にまで回動させると、運搬用レバー１０２の回動軸９０２側の先端は、大幅に開口部９０３に進入した状態となる。このとき、第１支持部９０４が運搬用レバー１０２の下面に当接し、第２支持部９０５が運搬用レバー１０２の上面に当接した状態になる。
【０１０７】
また、ロック部材２０３は、運搬用レバー１０２の上面に当接し、押し上げられている。なお、この段階では運搬用レバー１０２の突出片３０２は、保持部２０４よりも収納部２０１の内側に配置され、保持部２０４上には配置されていない。
【０１０８】
図１２は、図３対応する運搬用レバー１０２の状態を示す図である。すなわち、運搬用レバー１０２を水平方向に引き出した状態を示している。運搬用レバー１０２を水平方向に引き出すことで、回動軸９０２が開口部９０１の左端部まで移動した状態となる。この状態においても、第１支持部９０４及び第２支持部９０５は、図１１に示した当接状態を維持している。
【０１０９】
運搬用レバー１０２を水平方向に引き出すことで、突出片３０２が保持部２０４上に移動する。一方、ロック部材２０３の嵌合片２１２の下方に、運搬用レバー１０２の嵌合溝３０１が移動してくる。移動する領域ができることでロック部材２０３が下方に移動する。このとき、ロック部材２０３の嵌合片２１２が運搬用レバー１０２の嵌合溝３０１に入り込む。これにより、運搬用レバー１０２は下方への回動を防止され、水平状態で固定されることとなる。
【０１１０】
このように本複写機１００では、運搬用レバー１０２を水平状態まで回動し、突出片３０２が保持部２０４に保持される位置まで装置から引き出し、運搬用レバー１０２の下方への回動を不能な状態とし、この状態でロック部材２０３を下方移動させて回動を禁止（以下、「ロック」という）する。これにより、単に運搬用レバー１０２を回動させて水平状態にしただけではロックはかからず、ロックがかかるまでに２段階の操作を必要とするので、ロックのかけ忘れを未然に確実に防止し、安全な運搬を保証することができる。
【０１１１】
なお、ロック部材２０３は、収納部２０１の表面に沿って下方移動し、運搬用レバー１０２の嵌合溝３０１に嵌合する。このため、ロック部材２０３が移動する際の案内ガイドとして収納部２０１の表面をそのまま利用しているので、案内ガイドとして別部材を設ける必要がなく、その分部品点数の削減を図ることができる。
【０１１２】
また、ロック部材２０３は、収納部２０１の表面近傍で嵌合溝３０１に嵌合することで、運搬用レバー１０２の回動を規制する。このため、ロック部材２０３の嵌合位置から先端までの長さを最大限長くでき、運搬用レバー１０２を掴む領域を最大限長くすることができるので、持ち易い運搬用レバー１０２を実現して、安定した装置本体の運搬を確保することができる。
【０１１３】
次に、水平状態に固定された運搬用レバー１０２を収納部２０１に収納する場合の動きについて説明する。水平状態に固定された場合、運搬用レバー１０２は図１２に示す状態である。
【０１１４】
水平状態に固定された運搬用レバー１０２を収納部２０１に収納する場合には、まず、水平状態に固定された運搬用レバー１０２の嵌合溝３０１に入り込んでいるロック部材２０３の嵌合片２１２を外す。このとき、運搬者はロック部材２０３のレバー部２１１を上方に移動させることで容易に嵌合片２１２を嵌合溝３０１から外すことができる。そして、突出片３０２を保持部２０４の上から外すために運搬用レバー１０２を収納部２０１の内側に押し込む。
【０１１５】
図１３は、図１２に示す水平状態が固定された状態から運搬用レバー１０２を収納部２０１の内側にわずかに押し込んだ状態を示している。ここでは、ロック部材２０３の嵌合片２１２は、嵌合溝３０１から外され、運搬用レバー１０２の上面に載った状態となっている。
【０１１６】
また、突出片３０２が保持部２０４よりも収納部２０１の内側に押し込まれた状態となっている。このとき、運搬用レバー１０２は、収納部２０１による保持から解放された状態となっている。この状態から運搬用レバー１０２を掴んでいる手を離されると、運搬用レバー１０２は、回動軸９０２を回動支点として自重により回動して収納部２０１に入り込む。
【０１１７】
このように本複写機１００では、運搬用レバー１０２を収納する場合、ロック部材２０３を解除するだけではなく、さらに運搬用レバー１０２を押し込むことで運搬用レバー１０２を回動可能とする。これにより、運搬用レバー１０２が下方に回動するまでに２段階の操作を必要とするので、ロック部材２０３の解除により直ちに運搬用レバー１０２が回動する場合に比べて、万が一ロックが誤って解除された場合でも、急には運搬用レバー１０２は回動せず、安全性を確実に確保できる。
【０１１８】
また、本複写機１００を運搬可能状態とした場合にはロック部材２０３を上方に上げなければ、運搬用レバー２０３は下方には回動しない。これにより、ロック部材２０３を解除するにはロック部材２０３を上方に上げるという運搬用レバー１０２を握ったままではできない別の操作をしなければならず、運搬用レバー１０２を握っている手と同じ手ではロック部材２０３を解除できない。したがって、本複写機１００の運搬中にロック部材２０３に誤って指が接触してロック部材２０３が解除されることはなく、運搬中に運搬用レバー１０２が回動して運搬のバランスを崩すという危険を確実に回避することができる。
【０１１９】
図１４は、図１３に示す状態から運搬用レバー１０２が収納部２０１に入り込む直前の状態を示している。図１４においては、手を離される直前の運搬用レバー１０２を実線で示し、手を離された直後の運搬用レバー１０２を点線で示している。
【０１２０】
手を離された場合、運搬用レバー１０２は、回動軸９０２を回動支点として樹脂製カバー３０３がある先端部が自重で降下する。そして、運搬用レバー１０２は、収納部２０１の内壁に衝突する。このとき、衝突する部分には、樹脂製カバー３０３が配置されている。したがって、収納部２０１の内壁との衝突音は運搬用レバー１０２の筐体が直接衝突する場合の音に比べて大幅に低減することができる。
【０１２１】
図１５は、運搬用レバー１０２を水平状態に固定した場合の収納部２０１周辺の拡大図である。図１５（ａ）は運搬用レバー１０２の側面から見た収納部２０１周辺を示し、図１５（ｂ）は運搬用レバー１０２の先端部から見た収納部２０１を示している。なお、図１５においては、ロック部材２０３を省略した場合について示している。
【０１２２】
図１５（ａ）に示すように、水平状態に固定されると、運搬用レバー１０２の下端部には、収納部２０１の内壁に形成された第１支持部９０４が当接する。また、運搬用レバー１０２の上端部には、収納部２０１のロック部材２０３が取り付けられた部分の裏面に形成された第２支持部９０５が当接する。
【０１２３】
この状態で運搬者が本複写機１００を持ち上げたとすると、運搬用レバー１０２に加えられた力は、第１支持部９０４及び第２支持部９０５の双方で受け止められる。このように運搬用レバー１０２を握って本複写機１００を持ち上げる際に発生する上方に向う力のみならず、下方に向う力をも受け止めることで、収納部２０１は、本複写機１００を持ち上げる際に発生する力を上下の２方向に分散して受けることができる。したがって、本複写機１００を持ち上げる際に一方向のみで力を受け止める場合に比較して、収納部２０１に加わる負荷を軽減することができる。
【０１２４】
また、図１５（ｂ）に示すように、本実施の形態では収納部２０１を、本複写機１００の内部のメインフレーム１５００とは別の構成としている。このため、運搬用レバー１０２で本複写機１００を持ち上げる際に発生する力は、直接には収納部２０１に加わることになり、メインフレーム１５００に直接加わることはない。したがって、運搬用レバー１０２で本複写機１００を持ち上げる際の力がメインフレーム１５００に直接加わってメインフレーム１５００を変形させ、一定の位置精度により維持されている記録部などを構成する各部材の相互関係を崩し、画質を低下させるなどの不都合の発生を確実に防止することができる。
【０１２５】
このように本実施の形態の複写機１００によれば、収納部２０１から水平状態に回動する運搬用レバー１０２が水平状態となった時の上面に嵌合溝３０１を設ける一方、水平状態の時の運搬用レバー１０２に向けて下方に移動し嵌合溝３０１に嵌合して運搬用レバー１０２の下方への回動を規制すると共に上方に移動し運搬用レバー１０２との嵌合を解除して運搬用レバー１０２を下方に回動自在にするロック部材２０３を設けている。これにより、装置全体を大型化することなく、運搬に適した位置に持ちやすい運搬用レバーを有し、また、運搬中に運搬用レバーのロックが誤動作により解除される事態を確実に防止することができる。
【０１２６】
なお、本実施の形態では複写機１００について説明しているが、これに限定されず、一定以上の重量を有する装置であれば、どのような装置にも適用することができる。例えば、プリンタ機能、コピー機能及びファックス機能のいずれか２つ以上の機能を有する、複合機などに適用することができる。
【０１２７】
【発明の効果】
以上説明したように本発明によれば、装置全体を大型化することなく、運搬に適した位置に持ちやすい運搬用レバーを有し、また、運搬中に運搬用レバーのロックが誤動作により解除される事態を確実に防止することができる。
【図面の簡単な説明】
【図１】本発明の一実施の形態に係る複写機の外観を示す斜視図
【図２】上記実施の形態に係る複写機の運搬用レバー周辺の構成を示す拡大図
【図３】上記実施の形態に係る複写機の運搬用レバーが水平状態に固定された状態を示す図
【図４】上記実施の形態に係る複写機の運搬用レバーが水平状態に固定される途中の状態を示す図
【図５】上記実施の形態に係る複写機の運搬用レバーが水平状態に固定される途中の状態を示す図
【図６】上記実施の形態に係る複写機の運搬用レバーが水平状態に固定される途中の状態を示す図
【図７】上記実施の形態に係る複写機の運搬用レバーの嵌合溝周辺の拡大図
【図８】上記実施の形態に係る複写機の運搬用レバーが水平状態に固定された場合におけるロック部材の動きを示す図
【図９】上記実施の形態に係る複写機の運搬用レバーの動きを説明するための断面図
【図１０】上記実施の形態に係る複写機の運搬用レバーの動きを説明するための断面図
【図１１】上記実施の形態に係る複写機の運搬用レバーの動きを説明するための断面図
【図１２】上記実施の形態に係る複写機の運搬用レバーの動きを説明するための断面図
【図１３】上記実施の形態に係る複写機の運搬用レバーの動きを説明するための断面図
【図１４】上記実施の形態に係る複写機の運搬用レバーの動きを説明するための断面図
【図１５】上記実施の形態に係る複写機の運搬用レバーを水平状態に固定した場合の収納部周辺の拡大図
【図１６】従来の複写機の外観を示す斜視図
【図１７】従来の複写機の運搬用レバー周辺の拡大図
【符号の説明】
１００  複写機
１０１  開閉カバー
１０２  運搬用レバー
２０１  収納部
２０２  収納溝
２０３  ロック部材
２０４  保持部
２０５  係止部
２０６  ばね
２０７  開口部
２０８  ねじ
２０９  第１ガイド
２１０  第２ガイド
２１１  レバー部
２１２  嵌合片
３０１  嵌合溝
３０２  突出片
３０３  樹脂製カバー
９００  内壁
９０１  開口部
９０２  回動軸
９０３  開口部
９０４  第１支持部
９０５  第２支持部
１５００  メインフレーム
【図１】
0003978351.tif 000002
【図２】
0003978351.tif 000003
【図３】
0003978351.tif 000004
【図４】
0003978351.tif 000005
【図５】
0003978351.tif 000006
【図６】
0003978351.tif 000007
【図７】
0003978351.tif 000008
【図８】
0003978351.tif 000009
【図９】
0003978351.tif 000010
【図１０】
0003978351.tif 000011
【図１１】
0003978351.tif 000012
【図１２】
0003978351.tif 000013
【図１３】
0003978351.tif 000014
【図１４】
0003978351.tif 000015
【図１５】
0003978351.tif 000016
【図１６】
0003978351.tif 000017
【図１７】
0003978351.tif 000018